(57)【特許請求の範囲】
【請求項１】
紙袋本体の開口部に紙筒弁を装着し、該紙筒弁を通して粉体を前記紙袋本体内に収納自在としてなり、前記紙筒弁は、１枚の弁紙を段切りして折り重ねその合わせ目の少なくとも一端部を残した状態で接着して形成し、この未接着側を外方に向けて前記開口部に取り付け、且つ前記紙筒弁の前記未接着側の内周面に加熱溶融接着剤塗布面を形成したことを特徴とする弁付紙袋。
【発明の詳細な説明】
【技術分野】
【０００１】
本発明は、小麦粉、蕎麦粉、コーンスターチ等の粉体を収容するための弁付紙袋に関す
るものであり、より詳しくは、紙袋本体の開口部に紙筒弁を装着し、この紙筒弁を通して
粉体を紙袋本体内に収容自在としてなる弁付紙袋に関する。
【背景技術】
【０００２】
従来の紙袋としては、図１０、１１に示すように、多層の紙状物による紙状筒ａを平坦
に折り潰し、この紙状筒ａの開口端部ｂの両角に折込み部ｃ、ｄを形成すると共に、紙状
筒ａの上紙ｅ及び下紙ｆの一方を開いて展開面ｇとし、この展開面ｇの中心の開口部ｈを
塞ぐように、上紙ｅ及び下紙ｆを折れ筋ｉに沿い折り畳んで貼り合わせ、その上から化粧
紙ｊを接着固定し、底部を構成する最も簡易な形状のものが知られている（なお、開封上
部も同様な構成の形状となる）。また、この従来の紙袋に、紙筒弁を取り付け、粉体を紙
袋内に容易に収容できるようにしたものとしては下記の特許文献記載の技術が知られてい
る。
【０００３】
【特許文献１】実用新案登録第３０４６９９６号公報
【特許文献２】特開２００３−１６０１４４号公報
【０００４】
特許文献１の弁付紙袋は、図１２、１３に示すように、上記した展開面ｇの折込み部ｃ
、ｄのいずれか一方に紙筒弁ｋを取り付け、この紙筒弁ｋの内側全面に加熱溶融接着剤塗
布面を設け且つその粉体通路Ｌ両端にスリットｍを設けてなり、このスリットｍにより粉
体通路Ｌに粉体供給ノズルをスムーズに装着でき、紙筒弁ｋを通じて弁付紙袋内に粉体を
充填後、紙筒弁ｋを加熱して加熱溶融接着剤塗布面により紙筒弁ｋの内側全面を接着して
、弁付紙袋を密封するものである。
【０００５】
特許文献２の弁付紙袋は、図１４に示すように、上記した展開面ｇの折込み部ｃ、ｄの
いずれか一方に紙筒弁ｋ１を取り付け、この紙筒弁ｋ１の外側開口端の上面が下面より突
出して突出片ｎとされ、この突出片ｎの内面側に加熱溶融接着剤塗布面を設けてあり、紙
筒弁ｋ１を通じて弁付紙袋内に粉体を充填後、突出片ｎの外面側から加熱して加熱溶融接
着剤塗布面を紙状筒ａに接着して、紙筒弁ｋ１を閉じると共に弁付紙袋を密封するもので
ある。
【発明の開示】
【発明が解決しようとする課題】
【０００６】
特許文献１の弁付紙袋は、紙筒弁ｋの粉体通路Ｌ両端にスリットｍを設けてあるから、
このスリットｍのある粉体通路Ｌは自由端になり、この粉体通路Ｌ上に残留粉体があって
も容易に払い除けることができ、加熱溶融接着剤塗布面を加熱して紙筒弁ｋの内側全面を
支障なく接着し、弁付紙袋を密封することが出来るというメリットがある。しかしながら
、このスリット付の紙筒弁ｋを製作するには、弁紙を三つ折りにして重ねた部位を接着し
て偏平な筒状とし、更に両折り目を切ってスリットｍを設けることが必要となる。したが
って、上記した紙筒弁ｋの製作には、三つ折り、接着、切断という３つの性格の異なる工
程を経なければならず、工程が複雑になるという問題がある。
【０００７】
また、特許文献２の弁付紙袋は、紙筒弁ｋ１の上面に突出片ｎがあり、粉体充填後に加
熱して突出片ｎを紙状筒ａ上に接着して、紙筒弁ｋ１を閉じ弁付紙袋を密封し、粉体の漏
れを防ぐことが出来るが、これらは固定状態であり、しかも突出片ｎが邪魔になるために
、粉体充填後に紙筒弁ｋ１の下面や紙状筒ａ上に残留した粉体を払い除けることは、なか
なか困難である。したがって、残留粉体により、弁付紙袋の密封が不十分となり粉体漏れ
を起こす虞が高く、それを防ぐには手間暇かけて残留粉体を払い除けるしかないことにな
り、これまた工程の簡素化という点からは問題がある。
【０００８】
そこで、本発明の目的は、加熱溶融接着剤塗布面に残留する粉体を容易に除去出来て、
支障なく加熱溶融接着でき密封を可能とし、粉体漏れのない構造簡易で製作容易な弁付紙
袋を提供することにある。
【課題を解決するための手段】
【０００９】
本発明は、上記目的を達成するために提案されたものであって、下記の構成からなることを特徴とするものである。
すなわち、本発明によれば、紙袋本体の開口部に紙筒弁を装着し、該紙筒弁を通して粉体を前記紙袋本体内に収納自在としてなり、前記紙筒弁は、１枚の弁紙を段切りして折り重ねその合わせ目の少なくとも一端部を残した状態で接着して形成し、この未接着側を外方に向けて前記開口部に取り付け、且つ前記紙筒弁の前記未接着側の内周面に加熱溶融接着剤塗布面を形成したことを特徴とする弁付紙袋が提供される。
【発明の効果】
【００１３】
本発明の弁付紙袋は、紙筒弁の未接着側となっている弁紙の端部は完全に自由端となり、その自由端の弁紙を開いたり揺らすことで、その上に残留している粉体を除去し、その後加熱溶融接着剤塗布面を加熱して紙筒弁を溶融接着し紙袋本体を密封するものであるために、加熱溶融接着剤塗布面に残留する粉体を容易に除去出来て、支障なく加熱溶融接着でき密封を可能とし、粉体漏れがなく、構造簡易で紙筒弁の製作工程を少なくする事が出来る効果がある。
そして、紙筒弁の未接着側となっている弁紙はその段切り片が自由端となり、紙袋本体の外方に向けて形成されている段切り片を開いたり揺らすことで、その上に残留している粉体を除去し、その後加熱溶融接着剤塗布面を加熱して紙筒弁を溶融接着し紙袋本体を密封することができ、この際、内方に向けてある段切り片があることにより、紙筒弁から粉体供給ノズルを引き抜く時にその段切り片が通路を塞ぎ粉体の逆流を抑え紙筒弁内に粉体が入るのを防ぐため、残留粉体量を減らすことが出来る。
【発明を実施するための最良の形態】
【００１７】
以下に、図面を参照して本発明を実施するための最良の形態を説明する。
【実施例１】
【００１８】
図１は本発明の実施の形態を示す弁付紙袋の斜視図、図２は同弁付紙袋の制作状態を示す斜視図、図３は同弁付紙袋の制作状態を示す平面図である。図面において、弁付紙袋１は、紙袋本体２の開口部３に紙筒弁４を装着し、この紙筒弁４を通して粉体を紙袋本体４内に収容自在としてなり、この紙筒弁４は、弁紙６の合わせ目の少なくとも一端部を残した状態で接着して形成し、この未接着側を外方に向けて開口部３に取り付け、且つ紙筒弁４の内周面４ａに加熱溶融接着剤塗布面を形成してなるものである。
【００１９】
前記紙袋本体２は、図２に示すように、多層の紙状物１０による紙状筒１１を平坦に折
り潰し、この紙状筒１１の一方の開口端部１２の両角１２ａ、１２ｂに折込み部１３、１
４を形成すると共に、上紙１５及び下紙１５ａの一方を開いて展開面１６とし、この展開
面１６の開口部３を塞げるように、前記上紙１５及び下紙１５ａに折れ筋１７、１７を付
け、この折れ筋１７、１７に沿い上紙１５及び下紙１５ａを折り畳んで貼り合わせ、更に
その上に化粧紙１８を貼り合わせ底部を形成してなるものである。
【００２０】
この紙状筒１１は、径及び長さとも使用目的に合わせた任意のものが選択され、図１、
２では外層紙状物２０、内層紙状物２１を有する２枚重ねにした紙状物１０が使用されて
いるが、これに限定されず３層以上の多層でも良い。材質もクラフト紙に限らず、紙とプ
ラスチックフィルムの積層物でもよい。
【００２１】
そして、この紙状筒１１は、図２に示すように、平坦に折り潰し、折れ筋２２に沿い矢
線Ａ方向に折り曲げ、図３に示すように、開口端部１２の両角１２ａ、１２ｂに三角形状
の折込み部１３、１４を形成し、紙状筒１１の上紙１５側を開いて六角形状の展開面１６
を形成する。この展開面１６には中心部に開口部３があるから、これを塞ぐにために、上
紙１５及び下紙１５ａを開口部３側に折り曲げる必要がある。したがって、前記折れ筋１
７、１７が上紙１５及び下紙１５ａに付けられ、この折れ筋１７、１７に沿って上紙１５
及び下紙１５ａを折り畳み、上紙１５及び下紙１５ａの少なくとも斜線部分２３及び２３
ａに貼合剤を塗布し貼り付けることになる。なお、この貼合剤としては、特に限定される
ものではなく、通常、ポリビニルアセテート、ポリビニルアルコール、アクリル系、ゴム
系、澱粉糊等の接着剤から選ばれたものが適宜使用される。
【００２４】
そして、前記紙袋本体２の開口部３に紙筒弁４を取りつけた後の上紙１５及び下紙１５ａの上に、前記化粧紙１８を貼り合わせて製品とする（図６参照）。したがって、図６
の状態で弁付紙袋１として、需要家に引き渡され、需要家にて弁付紙袋１内部に粉体を収容した後、加熱器により紙筒弁４の加熱溶融接着剤塗布面５を押圧加熱して、紙筒弁４を完全に密封する。なお、図１、３では化粧紙１８の一側が展開面１６の下紙１５ａの裏面に予め貼り合わされているが、化粧紙１８が別体で引き渡され、後の作業を全て需要家にて行っても良い。
また、図２に示す前記紙状筒１１の他方の開口端部１２Ａは、図１に示すように、既述の一方の開口端部１２に比べて、紙筒弁４がないこと及び化粧紙１８にカットテープ２６が取り付けられていること以外、ほぼ同様の構成となって、開封上部を形成している。
【実施例３】
【００２６】
図８、９は本発明の紙筒弁の構成を示しており、その特徴は、紙筒弁４Ｂが１枚の弁紙３２を図９に示すように段切りし、その段切りした１枚の弁紙３２を矢線Ｂ方向に折り重ね、その合わせ目３３の少なくとも一端部を残した状態に形成して、段切り片３４、３５が完全なる自由端となり、また、端部３２ａは片方が自由端となり、更に段切り片３４及び端部３２ａに加熱溶融接着剤塗布面５ａ及び５ｂを形成している点にある。したがって、完全な自由端の段切り片３４及び片方が自由端の側端部３２ａを開いたり揺らすことで、その上に残留している粉体を容易に除去でき、その後加熱溶融接着剤塗布面５ａ及び５ｂを加熱してやれば、加熱溶融接着剤塗布面５ａおよび５ｂが加熱溶融接着して、紙筒弁４Ｂを直ちに閉じることが出来る。なお、段切り片３５は、紙筒弁４Ｂから粉体供給ノズルを引き抜く時、紙筒弁４Ｂの通路を塞ぎ、粉体の逆流を抑え紙筒弁４Ｂ内に粉体が入るのを防ぎ、残留粉体量を減らすことが出来る。したがって、この弁付紙袋１ｂの紙筒弁４Ｂは、特に粉体の逆流を抑え残留粉体量を減らせる点で有利である。
【００２７】
以上、本発明の実施例１、２、３について説明したが、具体的な構成はこれに限定され
ず、本発明の要旨を逸脱しない範囲での変更、例えば、実施例１の２枚の弁紙をずらして
実施例３のようにすることは適宜可能であることは理解されるべきである。
【産業上の利用可能性】
【００２８】
本発明の弁付紙袋は、加熱溶融接着する際の残留粉体に起因する粉体漏れを容易に排除
することを強く要求される場合に利用可能性が極めて高くなる。
【図面の簡単な説明】
【００２９】
【図１】本発明の実施の形態を示す弁付紙袋の斜視図である。
【図２】同弁付紙袋の製作状態を示す斜視図である。
【図３】同弁付紙袋の製作状態を示す平面図である。
【図４】同弁付紙袋の仕上がり状態を示す斜視図である。
【図５】本発明の紙筒弁の装着状態を示す弁付紙袋の斜視図である。
【図６】同上の弁付紙袋の紙筒弁を構成する弁紙の展開図である。
【図７】従来の紙袋の例を示す平面図である。
【図８】従来の紙袋の例を示す平面図である。
【図９】特許文献１に示す従来の紙袋の例を示す平面図である。
【図１０】特許文献１に示す従来の紙袋の例を示す平面図である。
【図１１】特許文献２に示す従来の紙袋の例を示す平面図である。
【符号の説明】
【００３０】
１，１ａ，１ｂ                  弁付紙袋
２                              紙袋本体
３，ｈ                          開口部
４，４Ａ，４Ｂ，ｋ，ｋ１        紙筒弁
４ａ                            内周面
５，５ａ，５ｂ                  加熱溶融接着剤塗布面
６，２４，２５，３０，３２      弁紙
７，３１，３３                  合わせ目
１０                              紙状物
１１，ａ                           紙状筒  
１２ａ，１２ｂ                    角
１３，１４，ｃ，ｄ                折込み部
１４ａ                            頂角
１４ｂ                            底辺
１５，ｅ                          上紙
１５ａ，ｆ                        下紙
１６，ｇ                          展開面
１７，２２，ｉ                    折れ筋
１８，ｊ                          化粧紙
２０                              外層紙状物
２１                              内層紙状物
２３，２３ａ                      斜線部分
２４ａ，２５ａ，３０ａ，３０ｂ，
３２ａ 端部 
２６                              カットテープ
３４，３５                        段切り片
Ｌ                                粉体通路
ｍ                                スリット
ｎ                                突出片
【図１】
0004443189.tif 000002
【図２】
0004443189.tif 000003
【図３】
0004443189.tif 000004
【図４】
0004443189.tif 000005
【図５】
0004443189.tif 000006
【図６】
0004443189.tif 000007
【図７】
0004443189.tif 000008
【図８】
0004443189.tif 000009
【図９】
0004443189.tif 000010
【図１０】
0004443189.tif 000011
【図１１】
0004443189.tif 000012